(57)【特許請求の範囲】
【請求項１】
同期信号及び物理ブロードキャストチャネルが配置される同期信号ブロック内で、既知系列と、ブロードキャスト情報とのうち少なくとも１つとを受信する受信部と、
前記既知系列に基づいて、前記同期信号ブロックのインデックスの一部を決定し、前記ブロードキャスト情報に基づいて、前記同期信号ブロックのインデックスの残りの部分を決定する制御部と、
を有する端末。
【請求項２】
前記既知系列は、同期信号ブロック内で送信される複数の系列のうち１つの系列である、請求項１に記載の端末。
【請求項３】
前記制御部は、前記既知系列を用いて、基地局との同期を行う、請求項１又は２に記載の端末。
【請求項４】
ブロードキャスト情報の中に、同期信号及び物理ブロードキャストチャネルが配置される同期信号ブロックのインデックスの一部を設定する制御部と、
前記同期信号ブロック内で、前記同期信号ブロックのインデックスの残りの部分を決定するために用いられる既知系列と、前記ブロードキャスト情報とのうち少なくとも１つを送信する送信部と、
を有する基地局。
【発明の詳細な説明】
【技術分野】
【０００１】
本発明は、基地局及び同期信号送信方法に関する。
【背景技術】
【０００２】
ＬＴＥ（Long Term Evolution）では、ユーザ装置（ＵＥ：User Equipment）は基地局（ｅＮＢ：enhanced Node B）が提供するキャリアへの初期アクセス処理として、プライマリ同期信号（ＰＳＳ：Primary Synchronization Signal）及びセカンダリ同期信号（ＳＳＳ：Secondary Synchronization Signal）と呼ばれる同期信号を検出し、物理ブロードキャストチャネル（ＰＢＣＨ：Physical Broadcast Channel）を復調する。【０００３】
図１は、ＬＴＥにおける初期アクセスのフレーム構成を示す図である。ＬＴＥでは、１０ｍｓの無線フレーム内に２セットのＰＳＳ及びＳＳＳが多重され、一方のセットにＰＢＣＨが多重される。ＰＳＳは、主にシンボルタイミング同期及びローカルＩＤ検出を目的として使われ、ＳＳＳは、主に無線フレーム同期及びセルグループＩＤ検出を目的として使用される。ＰＳＳ及びＳＳＳを用いて同期がとれてセルＩＤが識別されると、そのセルＩＤに対応するキャリアのＰＢＣＨを復号できる。ＰＢＣＨには、システム帯域幅及びシステムフレーム番号（ＳＦＮ：System Frame Number）等の基本的な情報が含まれる。このようにＰＳＳ、ＳＳＳ及びＰＢＣＨが検出されると、その後の処理であるＳＩＢ（System Information Block）受信及びランダムアクセスのための時間リソース位置が得られる（非特許文献１参照）。
【先行技術文献】
【非特許文献】
【０００４】
【非特許文献１】3GPP TS 36.212 V14.1.1 (2016-12)
【発明の概要】
【発明が解決しようとする課題】
【０００５】
現在、３ＧＰＰ（3rd Generation Partnership Project）において、ＬＴＥ及びＬＴＥ−Ａｄｖａｎｃｅｄの後継にあたる５Ｇと呼ばれる次世代のシステムの検討が進んでいる。【０００６】
ＬＴＥでは、初期アクセスにおいてビーム方向が固定されているシングルビーム運用が適用される。一方、次世代のシステムでは、シングルビーム運用において時間的にＰＳＳ、ＳＳＳ及びＰＢＣＨを繰り返し送信する運用に加えて、ビーム方向を変更しながらＰＳＳ、ＳＳＳ及びＰＢＣＨを繰り返し送信するマルチビーム運用（ビームスイーピングとも呼ばれる）がサポートされることが想定される。ユーザ装置がＰＳＳ、ＳＳＳ及びＰＢＣＨを検出した後にＳＩＢ受信及びランダムアクセスのための時間リソース位置を得るためには、ユーザ装置は、検出したＰＳＳ、ＳＳＳ及びＰＢＣＨが繰り返し送信の中の何回目に送信されたＰＳＳ、ＳＳＳ及びＰＢＣＨであるかを識別する必要がある。そのため、基地局は、ＰＳＳ、ＳＳＳ及びＰＢＣＨが配置されるリソース（以下、ＳＳブロック（SS block）と呼ぶ）の時間方向の位置を示すインデックス（以下、ＳＳブロックインデックス（SS block index）と呼ぶ）をユーザ装置に通知する必要がある。【０００７】
ＬＴＥでは、ＳＩＢ受信及びランダムアクセスのために必要な情報は、ＰＢＣＨを用いて通知することができるが、次世代のシステムにおいてＳＦＮ及びセルＩＤ数の情報量が増加する可能性を考慮すると、ＰＢＣＨにおけるＳＳブロックインデックスの通知は、ＰＢＣＨのペイロードサイズを逼迫させる可能性がある。一方、ＰＳＳ及びＳＳＳを用いてＳＳブロックインデックスを通知すると、ユーザ装置は、セルＩＤとＳＳブロックインデックスの組み合わせを一度に検出する必要があり、ユーザ装置の負荷が増大する。【０００８】
本発明は、ＰＢＣＨのペイロードサイズの逼迫を抑え、且つ、初期アクセスにおけるユーザ装置の負荷の増大を抑えつつ、ＳＳブロックインデックスをユーザ装置に通知するための仕組みを実現することを目的とする。
【課題を解決するための手段】
【０００９】
本発明の一形態に係る端末は、
同期信号及び物理ブロードキャストチャネルが配置される同期信号ブロック内で、既知系列と、ブロードキャスト情報とのうち少なくとも１つとを受信する受信部と、
前記既知系列に基づいて、前記同期信号ブロックのインデックスの一部を決定し、前記ブロードキャスト情報に基づいて、前記同期信号ブロックのインデックスの残りの部分を決定する制御部と、
を有することを特徴とする。
【発明の効果】
【００１０】
本発明によれば、ＳＳブロックインデックスをユーザ装置に通知するときに、ＰＢＣＨのペイロードサイズの逼迫を抑え、且つ、初期アクセスにおけるユーザ装置の負荷の増大を抑えることが可能になる。
【図面の簡単な説明】
【００１１】
【図１】ＬＴＥにおける初期アクセスのフレーム構成を示す図である。
【図２】本発明の実施例に係る無線通信システムの構成例を示す図である。
【図３Ａ】マルチビーム運用がサポートされるときの初期アクセスのフレーム構成例１を示す図である。
【図３Ｂ】マルチビーム運用がサポートされるときの初期アクセスのフレーム構成例２を示す図である。
【図４】本発明の実施例に係る無線通信システムにおける通信手順を示すシーケンス図である。
【図５Ａ】ＳＳブロックの構成例１−１を示す図である。
【図５Ｂ】ＳＳブロックの構成例１−２を示す図である。
【図５Ｃ】ＳＳブロックインデックスの通知例１を示す図である。
【図６Ａ】ＳＳブロックの構成例２−１を示す図である。
【図６Ｂ】ＳＳブロックの構成例２−２を示す図である。
【図６Ｃ】ＳＳブロックの構成例２−３を示す図である。
【図６Ｄ】ＳＳブロックの構成例２−４を示す図である。
【図６Ｅ】ＳＳブロックの構成例２−５を示す図である。
【図６Ｆ】ＳＳブロックインデックスの通知例２を示す図である。
【図７】本発明の実施例に係る基地局の機能構成を示すブロック図である。
【図８】本発明の実施例に係るユーザ装置の機能構成を示すブロック図である。
【図９】本発明の実施例に係る基地局及びユーザ装置のハードウェア構成の一例を示す図である。
【発明を実施するための形態】
【００１２】
以下、図面を参照して本発明の実施例を説明する。なお、以下で説明する実施例は一例に過ぎず、本発明が適用される実施例は、以下の実施例に限られるわけではない。例えば、本実施例はＬＴＥにおいて定義されている用語を適宜参照するが、本発明はＬＴＥに限定されるわけではなく、他の方式にも適用可能である。なお、本明細書及び請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１３】
＜システム構成＞
図２は、本発明の実施例に係る無線通信システムの構成例を示す概略図である。図２に示すように、本発明の実施例に係る無線通信システムは、基地局ｅＮＢとユーザ装置ＵＥとを有する。図２の例では、基地局ｅＮＢ及びユーザ装置ＵＥが１つずつ図示されているが、複数の基地局ｅＮＢを有していてもよいし、複数のユーザ装置ＵＥを有していてもよい。
【００１４】
基地局ｅＮＢは、１つまたは複数（例えば、３つ）の（セクタとも呼ばれる）セルを収容することができる。基地局ｅＮＢが複数のセルを収容する場合、基地局ｅＮＢのカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局ｅＮＢは、固定局（fixed station）、ＮｏｄｅＢ、ｅＮｏｄｅＢ（ｅＮＢ）、ｇＮｏｄｅＢ（ｇＮＢ）、アクセスポイント（access point）、フェムトセル、スモールセルなどの用語で呼ばれる場合もある。
【００１５】
ユーザ装置ＵＥは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００１６】
次に、ユーザ装置と基地局との間における初期アクセスについて説明する。
【００１７】
ユーザ装置は、基地局と通信するために、セルサーチを行う必要がある。セルサーチに用いられる信号は、同期信号（ＳＳ）と呼ばれ、プライマリ同期信号（ＰＳＳ）及びセカンダリ同期信号（ＳＳＳ）が含まれる。また、新たな同期信号（以下、３次同期信号（ＴＳＳ：Tertiary Synchronization Signal）と呼ぶ）が使用されてもよい。ＰＳＳには、ローカルＩＤを識別するための系列が用いられ、ＳＳＳには、セルグループＩＤを識別するための系列が用いられる。ローカルＩＤとセルグループＩＤとを組み合わせることによってセルＩＤが識別される。なお、本発明の実施例においてセルＩＤを識別するためにローカルＩＤとセルグループＩＤとの組み合わせが用いられるが、別の名称のＩＤが用いられてもよい。また、ＰＳＳに用いられる系列のみによってセルＩＤが識別されてもよく、ＳＳＳに用いられる系列のみによってセルＩＤが識別されてもよい。ＰＳＳ及びＳＳＳに用いられる系列には、Ｚａｄｏｆｆ−Ｃｈｕ系列等が用いられてもよい。同様に、ＴＳＳにおいて用いられる系列にも、Ｚａｄｏｆｆ−Ｃｈｕ系列等が用いられてもよい。
【００１８】
ユーザ装置ＵＥがセルサーチ後に読むべき基本情報は、ブロードキャスト情報と呼ばれ、システム帯域幅及びシステムフレーム番号などを含むＭＩＢ（Master Information Block）と、その他のシステム情報であるＳＩＢ（System Information Block）とが含まれる。ＭＩＢはＰＢＣＨで送信され、ＳＩＢはＰＤＳＣＨ（Physical Downlink Shared Channel）で送信されてもよい。
【００１９】
ＰＳＳ、ＳＳＳ、ＴＳＳ及びＰＢＣＨは、予め決められたリソース位置にあるＳＳブロックに配置される。すなわち、ＳＳブロックとは、ＰＳＳ、ＳＳＳ、ＴＳＳ又はＰＢＣＨのいずれかを含むリソースである。本発明の実施例に係る無線通信システムでは、初期アクセスにおいてシングルビーム運用に加えてマルチビーム運用がサポートされることを想定する。
【００２０】
図３Ａ及び図３Ｂは、時間的な繰り返し送信を想定した初期アクセスのフレーム構成を示す図である。ここでは、例としてマルチビーム運用が想定される場合を示す。マルチビーム運用が想定される場合、ビーム方向を変更しながら、ＳＳブロックが時間方向において繰り返し送信される。マルチビーム運用に限らず、シングルビーム運用においても、ＳＳブロックは時間的に繰り返し送信され得る。時間方向に連続して送信されるＳＳブロックのまとまりは、ＳＳバースト（SS burst）と呼ばれる。ＳＳバーストは、周期的に送信されてもよく、非周期的に送信されてもよい。
【００２１】
ＳＳブロックには、当該ＳＳブロックの時間方向の位置（例えば、ＳＳバーストにおけるＳＳブロックの先頭シンボルの位置）を示すＳＳブロックインデックスが付与される。図３Ａは、ＳＳバースト毎にＳＳブロックインデックスを付与する例である。例えば、ＳＳバースト内のＬ個のＳＳブロックに対して０から順にインデックスが付与され、次のＳＳバースト内のＳＳブロックに対しても０から順にインデックスが付与される。また、図３Ｂは、ＳＳバーストのまとまりである一連のＳＳバーストを定義し、一連のＳＳバースト全体でＳＳブロックインデックスを付与する例である。例えば、ＳＳバースト内のＬ個のＳＳブロックに対して０から順にインデックスが付与され、次のＳＳバースト内のＳＳブロックに対してはＬから順にインデックスが付与される。
【００２２】
ＳＳバーストを用いる運用がサポートされる場合、ユーザ装置は、ＳＳブロックインデックス０が付与されたＳＳブロックを検出できることもあれば、ＳＳブロックインデックス１が付与されたＳＳブロックを検出できることもある。図３Ａ及び図３Ｂのいずれの場合であっても、ＳＳブロックインデックスを用いることによって、ユーザ装置は、無線フレーム内における検出したＳＳブロックの時間方向の位置を識別することが可能になる。
【００２３】
＜無線通信システムにおける通信手順＞
次に、基地局がＰＳＳ、ＳＳＳ及びＴＳＳのうち１つ以上のＳＳを使用してＳＳブロックインデックスの一部をユーザ装置に送信し、ＰＢＣＨを使用してＳＳブロックインデックスの残りの部分をユーザ装置に送信する具体例について説明する。
【００２４】
図４は、本発明の実施例に係る無線通信システムにおける通信手順を示すシーケンス図である。
【００２５】
基地局は、ＳＳブロックに付与するＳＳブロックインデックスを生成し、当該ＳＳブロックにおいてＳＳブロックインデックスの一部を含むＰＳＳ、ＳＳＳ又はＴＳＳを送信するか、ＳＳブロックインデックスの残りの部分を含むＰＢＣＨを送信する（Ｓ１０１）。ＰＳＳ又はＳＳＳにＳＳブロックインデックスの一部を含める場合、ＰＳＳ及びＳＳＳの剰余の系列が使用されてもよい。例えば、ＬＴＥにおけるＳＳＳは、９６１通りの系列を生成することができるが、１６８個のセルグループＩＤを識別するための系列として用いられている。すなわち、ＬＴＥにおけるＳＳＳには、９６１−１６８個の剰余の系列が存在する。なお、ＰＳＳにも、剰余の系列が存在する。ＳＳブロックインデックスの一部を示す系列として、これらの剰余の系列が使用されてもよい。また、ＰＳＳ及びＳＳＳに剰余の系列が存在するということは、ＰＳＳ及びＳＳＳにおいて使用可能なリソースが存在することを意味する。この使用可能なリソースの範囲内で、ＳＳブロックインデックスの一部を示す新たな系列が定義されてもよい。ＳＳブロックインデックスの一部がＰＳＳを使用して送信される場合、ＰＳＳにおいて、ＳＳブロックインデックスの一部を示す系列と、セルＩＤを識別するためのローカルＩＤとは、符号領域、周波数領域又は時間領域で多重される。また、ＳＳブロックインデックスの一部がＳＳＳを使用して送信される場合、ＳＳＳにおいて、ＳＳブロックインデックスの一部を示す系列と、セルＩＤを識別するためのセルグループＩＤとは、符号領域、周波数領域又は時間領域で多重される。ＳＳブロックインデックスの一部がＴＳＳを使用して送信される場合においても同様に、ＴＳＳにおいて、ＳＳブロックインデックスの一部を示す新たな系列が定義されてもよい。ＳＳブロックインデックスの一部を示す系列は、ＰＳＳを使用して送信されてもよく、ＳＳＳを使用して送信されてもよく、ＴＳＳを使用して送信されてもよく、また、ＰＳＳ、ＳＳＳ及びＴＳＳの任意の組み合わせを使用して送信されてもよい。ＳＳブロックインデックスの残りの部分を示す系列は、ＰＢＣＨを使用して送信される。
【００２６】
例えば、２４０個のＳＳブロックインデックスは、２０種類の情報を表現できる第１系列と１２種類の情報を表現できる第２系列との組み合わせによって表現できる。第１系列はＰＢＣＨを使用して送信され、第２系列は、ＰＳＳ、ＳＳＳ及びＴＳＳのうち１つ以上のＳＳを使用して送信される。すなわち、第２系列をＰＳＳに含めてもよく、ＳＳＳに含めてもよく、ＴＳＳに含めてもよい。また、第２系列を２種類の情報を表現できる第３系列と、６種類の情報を表現できる第４系列との組み合わせによって表現し、第３系列をＰＳＳ、ＳＳＳ及びＴＳＳのうち１つのＳＳに含め、第４系列をＰＳＳ、ＳＳＳ及びＴＳＳのうち他のＳＳに含めることも可能である。さらに、第２系列を２種類の情報を表現できる第５系列と、２種類の情報を表現できる第６系列と、３種類の情報を表現できる第７系列との組み合わせによって表現し、第５系列、第６系列及び第７系列をＰＳＳ、ＳＳＳ及びＴＳＳに含めることも可能である。
【００２７】
ユーザ装置は、ＰＳＳ及びＳＳＳを用いてセルＩＤを検出するときに、ＰＳＳ、ＳＳＳ及びＴＳＳのうち１つ以上のＳＳに含まれるＳＳブロックインデックスの一部を検出する。また、ユーザ装置はＰＢＣＨを検出するときに、ＳＳブロックインデックスの残りの部分を検出する。ユーザ装置は、ＰＳＳ、ＳＳＳ及びＴＳＳのうち１つ以上のＳＳに含まれるＳＳブロックインデックスの一部と、ＰＢＣＨに含まれるＳＳブロックインデックスの残りの部分とを組み合わせて、ＳＳブロックインデックスを検出する（Ｓ１０３）。その結果、ユーザ装置はＳＳブロックインデックスを用いて、無線フレーム内の時間方向の位置を識別することが可能になる。
【００２８】
その後、ユーザ装置はＳＩＢ等を受信することができ、また、ランダムアクセスを開始することができる（Ｓ１０５）。
【００２９】
＜ＳＳブロックインデックスの通知例１＞
図５Ａ〜図５Ｃは、ＳＳブロックインデックスの通知例及びＳＳブロックの構成例１を示す図である。図５ＡはＳＳブロックが時間的に所定の間隔だけ離れてマッピングされたＰＳＳ／ＳＳＳ／ＰＢＣＨから構成される例（構成例１−１）を示しており、図５ＢはＳＳブロックが時間的に連続してマッピングされたＰＳＳ／ＳＳＳ／ＰＢＣＨから構成される例（構成例１−２）を示している。一例として、まずＳＳブロックインデックスの一部を示す系列がＳＳＳに含まれる場合（図５Ｃの通知例１−１）について説明する。
【００３０】
基地局は一つあるいは複数のＳＳブロックを送信することができ、各ＳＳブロックに含めるＳＳＳ系列を生成する際に、セルグループＩＤを識別するための情報に加えてＳＳブロックインデックス情報の一部を表現するような系列を生成すると仮定する。
【００３１】
ユーザ装置は、検出したＳＳブロックに含まれるＳＳＳの系列から、セルグループＩＤの情報及びＳＳブロックインデックス情報の一部を認識し、さらにＰＢＣＨを復号することでＳＳブロックインデックス情報の残りの部分を認識することができる。
【００３２】
なお、基地局は、セルグループＩＤを識別するための系列を用いて、ＳＳブロックインデックスの一部を示す系列をスクランブリングしてもよい。対応して、ユーザ装置は、セルグループＩＤを検出した後に、ＳＳブロックインデックスの一部を検出してもよい。同様に、基地局は、ＳＳブロックインデックスの一部を示す系列を用いて、セルグループＩＤを識別するための系列をスクランブリングしてもよい。対応して、ユーザ装置は、ＳＳブロックインデックスの一部を検出した後に、セルグループＩＤを検出してもよい。
【００３３】
なお、ＳＳブロックインデックスの一部を示す系列がＰＳＳに含まれる場合も、上記と同様に実現できる（図５Ｃの通知例１−２）。さらに、ＳＳブロックインデックスの一部を示す系列がＰＳＳとＳＳＳとの両方に含まれる場合にも、上記と同様に実現できる（図５Ｃの通知例１−３）。
【００３４】
＜ＳＳブロックインデックスの通知例２＞
図６Ａ〜図６Ｆは、ＳＳブロックインデックスの通知例及びＳＳブロックの構成例２を示す図である。図６ＡはＳＳブロックが時間的に所定の間隔だけ離れてマッピングされたＰＳＳ／ＳＳＳ／ＴＳＳ／ＰＢＣＨから構成される例（構成例２−１）を示しており、図６ＢはＳＳブロックが時間的に連続してマッピングされたＰＳＳ／ＳＳＳ／ＴＳＳ／ＰＢＣＨから構成される例（構成例２−２）を示している。さらに、図６Ｃは時間領域で所定の間隔だけ離れてマッピングされた場合と連続してマッピングされた場合の組み合わせから構成される例（構成例２−３）を示しており、図６Ｄ及び図６ＥはＰＳＳ／ＳＳＳ／ＴＳＳ／ＰＢＣＨの構成の一部に周波数多重を含む例（構成例２−４及び２−５）を示している。一例として、まずＳＳブロックインデックスの一部を示す系列がＴＳＳに含まれる場合（図６Ｆの通知例２−１）について説明する。
【００３５】
基地局は一つあるいは複数のＳＳブロックを送信することができ、各ＳＳブロックに含めるＴＳＳ系列を生成する際にＳＳブロックインデックス情報の一部を表現するような系列を生成すると仮定する。
【００３６】
ユーザ装置は、検出したＳＳブロックに含まれるＴＳＳの系列から、ＳＳブロックインデックス情報の一部を認識し、さらにＰＢＣＨを復号することでＳＳブロックインデックス情報の残りの部分を認識することができる。
【００３７】
なお、基地局は、ローカルＩＤまたはセルグループＩＤを識別するための系列を用いて、ＳＳブロックインデックスの一部を示す系列をスクランブリングしてもよい。対応して、ユーザ装置は、ローカルＩＤまたはセルグループＩＤを検出した後に、ＳＳブロックインデックスの一部を検出してもよい。同様に、基地局は、ＳＳブロックインデックスの一部を示す系列を用いて、ローカルＩＤまたはセルグループＩＤを識別するための系列をスクランブリングしてもよい。対応して、ユーザ装置は、ＳＳブロックインデックスの一部を検出した後に、ローカルＩＤまたはセルグループＩＤを検出してもよい。
【００３８】
なお、ＳＳブロックインデックスの一部を示す系列がＰＳＳ及びＴＳＳに含まれる場合も、上記と同様に実現できる（図６Ｆの通知例２−２）。また、ＳＳブロックインデックスの一部を示す系列がＳＳＳ及びＴＳＳとの両方に含まれる場合にも、上記と同様に実現できる（図６Ｆの通知例２−３）。さらに、ＳＳブロックインデックスの一部を示す系列がＰＳＳ及びＳＳＳ及びＴＳＳの全てに含まれる場合にも、上記と同様に実現できる（図６Ｆの通知例２−４）。
【００３９】
なお、ＳＳブロックインデックスを通知するときのＰＳＳ、ＳＳＳ、ＴＳＳ及びＰＢＣＨの構成例は図５Ａ〜図５Ｂ及び図６Ａ〜図６Ｅに限定されず、ＳＳブロック内にＰＳＳ、ＳＳＳ、ＴＳＳ及びＰＢＣＨがどのように配置されてもよい。
【００４０】
＜基地局の構成＞
図７は、本発明の実施例に係る基地局１０の機能構成を示すブロック図である。基地局１０は、ＳＳブロックインデックス生成部１０１と、ＰＳＳ系列生成部１０３と、ＳＳＳ系列生成部１０５と、ＴＳＳ系列生成部１０７と、ＰＢＣＨ生成部１０９と、送信部１１１とを有する。なお、図７で用いている機能部の名称は単なる例であり、他の名称が用いられてもよい。例えば、ＳＳブロックインデックスの一部がＰＳＳを使用して送信され、ＳＳブロックインデックスの残りの部分がＰＢＣＨを使用して送信される場合、ＳＳブロックインデックス生成部１０１と、ＰＳＳ系列生成部１０３と、ＰＢＣＨ生成部１０９は、まとめてＳＳブロックインデックス生成部と呼ばれてもよい。
【００４１】
ＳＳブロックインデックス生成部１０１は、ＳＳブロックに付与するＳＳブロックインデックスを生成する。
【００４２】
ＰＳＳ系列生成部１０３は、ＳＳブロックインデックスの一部がＰＳＳを使用して送信される場合、ＳＳブロックインデックスの一部を示す系列を、ローカルＩＤを識別するための系列と多重し、ＰＳＳの系列を生成する。
【００４３】
ＳＳＳ系列生成部１０５は、ＳＳブロックインデックスの一部がＳＳＳを使用して送信される場合、ＳＳブロックインデックスの一部を示す系列を、セルグループＩＤを識別するための系列と多重し、ＳＳＳの系列を生成する。
【００４４】
ＴＳＳ系列生成部１０７は、ＳＳブロックインデックスの一部がＴＳＳを使用して送信される場合、ＳＳブロックインデックスの一部を示す系列をＴＳＳの系列として生成する。なお、ＴＳＳが用いられない場合には、ＴＳＳ系列生成部１０７は必要ない。
【００４５】
ＰＢＣＨ生成部１０９は、ＳＳブロックインデックスの残りの部分を示す系列を生成し、ＰＢＣＨのペイロードに入力する。
【００４６】
送信部１１１は、生成されたＰＳＳの系列、ＳＳＳの系列、ＴＳＳの系列及びＰＢＣＨのいずれか又は任意の組み合わせをＳＳブロック内において送信する。
【００４７】
＜ユーザ装置の構成＞
図８は、本発明の実施例に係るユーザ装置２０の機能構成を示すブロック図である。ユーザ装置２０は、受信部２０１と、ＰＳＳ系列推定部２０３と、ＳＳＳ系列推定部２０５と、ＴＳＳ系列推定部２０７と、ＰＢＣＨ受信処理部２０９と、ＳＳブロックインデックス推定部２１１とを有する。なお、図８で用いている機能部の名称は単なる例であり、他の名称が用いられてもよい。
【００４８】
受信部２０１は、基地局から送信された信号を受信する。
【００４９】
ＰＳＳ系列推定部２０３は、受信部２０１によって受信された信号から、ＰＳＳの受信タイミングを検出する。ＰＳＳ系列推定部２０３は、ローカルＩＤを検出すると共に、ＰＳＳの系列にＳＳブロックインデックスの一部が含まれている場合には、ＳＳブロックインデックスの一部を検出する。
【００５０】
ＳＳＳ系列推定部２０５は、受信部２０１によって受信された信号から、セルＩＤを検出すると共に、ＳＳＳの系列にＳＳブロックインデックスの一部が含まれている場合には、ＳＳブロックインデックスの一部を検出する。
【００５１】
ＴＳＳ系列推定部２０７は、ＴＳＳの系列にＳＳブロックインデックスの一部が含まれている場合には、ＳＳブロックインデックスの一部を検出する。なお、ＴＳＳが用いられない場合には、ＴＳＳ系列推定部２０７は必要ない。
【００５２】
ＰＢＣＨ受信処理部２０９は、ローカルＩＤ及びセルグループＩＤとの組み合わせによって識別されるセルＩＤに対応するキャリアのＰＢＣＨを復号する。そして、ＳＳブロックインデックスの残りの部分を検出する。
【００５３】
ＳＳブロックインデックス推定部２１１は、ＰＳＳ系列推定部２０３、ＳＳＳ系列推定部２０５及びＴＳＳ系列推定部２０７によって検出されたＳＳブロックインデックスの一部と、ＰＢＣＨ受信処理部２０９によって検出されたＳＳブロックインデックスの残りの部分とを組み合わせてＳＳブロックインデックスを推定する。
【００５４】
＜ハードウェア構成＞
なお、上記実施例の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００５５】
例えば、本発明の一実施例における基地局１０、ユーザ装置２０などは、本発明の同期信号送信方法の処理を行うコンピュータとして機能してもよい。図９は、本発明の実施例に係る基地局１０及びユーザ装置２０のハードウェア構成の一例を示す図である。上述の基地局１０及びユーザ装置２０は、物理的には、プロセッサ１００１、メモリ１００２、ストレージ１００３、通信装置１００４、入力装置１００５、出力装置１００６、バス１００７などを含むコンピュータ装置として構成されてもよい。
【００５６】
なお、以下の説明では、「装置」という文言は、回路、デバイス、ユニットなどに読み替えることができる。基地局１０及びユーザ装置２０のハードウェア構成は、図に示した各装置を１つ又は複数含むように構成されてもよいし、一部の装置を含まずに構成されてもよい。
【００５７】
基地局１０及びユーザ装置２０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００５８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述のＳＳブロックインデックス生成部１０１、ＰＳＳ系列生成部１０３、ＳＳＳ系列生成部１０５、ＴＳＳ系列生成部１０７、ＰＢＣＨ生成部１０９、ＰＳＳ系列推定部２０３、ＳＳＳ系列推定部２０５、ＴＳＳ系列推定部２０７、ＰＢＣＨ受信処理部２０９、ＳＳブロックインデックス推定部２１１などは、プロセッサ１００１で実現されてもよい。
【００５９】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施例で説明した動作の少なくとも一部をコンピュータに実行させるプログラムが用いられる。例えば、基地局１０のＳＳブロックインデックス生成部１０１は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００６０】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施例に係る同期信号送信方法を実施するために実行可能なプログラム（プログラムコード）、ソフトウェアモジュールなどを保存することができる。
【００６１】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００６２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送信部１１１、受信部２０１などは、通信装置１００４で実現されてもよい。
【００６３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００６４】
また、プロセッサ１００１やメモリ１００２などの各装置は、情報を通信するためのバス１００７で接続される。バス１００７は、単一のバスで構成されてもよいし、装置間で異なるバスで構成されてもよい。
【００６５】
また、基地局１０及びユーザ装置２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００６６】
＜本発明の実施例の効果＞
本発明の実施例によれば、ＳＳブロックインデックスをユーザ装置に通知するときに、ＰＢＣＨのペイロードサイズの逼迫を抑え、且つ、初期アクセスにおけるユーザ装置の負荷の増大を抑えることが可能になる。ＳＳブロックインデックスは、ＰＢＣＨの他に、ＰＳＳ、ＳＳＳ又はＴＳＳを使用して送信されるため、ＰＢＣＨのペイロードサイズの逼迫が抑えられる。また、ＳＳブロックインデックスの一部のみがＰＳＳ、ＳＳＳ又はＴＳＳを使用して送信されるため、ＰＳＳ、ＳＳＳ又はＴＳＳにおいてユーザ装置が一度に検出すべき系列が制限され、初期アクセスにおけるユーザ装置の負荷の増大が抑えられる。また、追加のリソース占有を伴うＴＳＳは必ずしも使用されなくてもよい。仮にＴＳＳが使用される場合であっても、ＴＳＳのリソース量の増加を抑えることができる。このように、ＳＳを検出するときのユーザ装置の負荷と、ＰＢＣＨで送信する情報量との関係を最適化することができる。
【００６７】
なお、図５Ｂ、図６Ｂ〜図６Ｄに示すように、ＳＳバースト内にＰＳＳ、ＳＳＳ、ＴＳＳ及びＰＢＣＨを多重して送信することにより、一連のＳＳバーストにおける最初の方のＳＳバーストにおいてＰＢＣＨを復号できたユーザ装置は、早い時点でＳＩＢ受信等の処理を進めることができる。
【００６８】
＜補足＞
本明細書で説明した各態様／実施例は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６９】
本明細書で使用する「システム」および「ネットワーク」という用語は、互換的に使用される。
【００７０】
本明細書において基地局によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード（例えば、ＭＭＥまたはＳ−ＧＷなどが考えられるが、これらに限られない）によって行われ得ることは明らかである。上記において基地局以外の他のネットワークノードが１つである場合を例示したが、複数の他のネットワークノードの組み合わせ（例えば、ＭＭＥおよびＳ−ＧＷ）であってもよい。
【００７１】
情報等は、上位レイヤ（または下位レイヤ）から下位レイヤ（または上位レイヤ）へ出力され得る。複数のネットワークノードを介して入出力されてもよい。
【００７２】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００７３】
情報の通知は、本明細書で説明した態様／実施例に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００７４】
判定は、１ビットで表される値（０か１か）によって行われてもよいし、真偽値（Boolean：trueまたはfalse）によって行われてもよいし、数値の比較（例えば、所定の値との比較）によって行われてもよい。
【００７５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００７６】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００７７】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７８】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００７９】
また、本明細書で説明した情報、パラメータなどは、絶対値で表されてもよいし、所定の値からの相対値で表されてもよいし、対応する別の情報で表されてもよい。例えば、無線リソースはインデックスで指示されてもよい。
【００８０】
上述したパラメータに使用する名称はいかなる点においても限定的に解釈されるべきではない。さらに、これらのパラメータを使用する数式等は、本明細書で明示的に開示した数式等と異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的に解釈されるべきではない。
【００８１】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００８２】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８３】
本明細書で使用する「第１の」、「第２の」などの呼称を使用した要素へのいかなる参照も、それらの要素の量または順序を全般的に限定しない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００８４】
「含む（including）」、「含んでいる（comprising）」、およびそれらの変形が、本明細書あるいは請求の範囲で使用されている限り、これら用語は、用語「備える」と同様に、包括的であることが意図される。さらに、本明細書あるいは請求の範囲において使用されている用語「または（or）」は、排他的論理和ではないことが意図される。
【００８５】
本明細書で説明した各態様／実施例の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００８６】
本明細書で説明した各態様／実施例は単独で用いてもよいし、組み合わせて用いてもよいし、実行に伴って切り替えて用いてもよい。また、所定の情報の通知（例えば、「Ｘであること」の通知）は、明示的な通知に限られず、暗黙的（例えば、当該所定の情報の通知を行わない）ことによって行われてもよい。
【００８７】
以上、本発明について詳細に説明したが、当業者にとっては、本発明が本明細書中に説明した実施例に限定されないということは明らかである。本発明は、請求の範囲の記載により定まる本発明の趣旨及び範囲を逸脱することなく修正及び変更態様として実施することができる。したがって、本明細書の記載は、例示説明を目的としており、本発明に対して何ら制限的な意味を有しない。
【００８８】
本国際出願は２０１７年２月３日に出願した日本国特許出願２０１７−０１９１４１号に基づく優先権を主張するものであり、２０１７−０１９１４１号の全内容を本国際出願に援用する。
【符号の説明】
【００８９】
１０      基地局
１０１    ＳＳブロックインデックス生成部
１０３    ＰＳＳ系列生成部
１０５    ＳＳＳ系列生成部
１０７    ＴＳＳ系列生成部
１０９    ＰＢＣＨ生成部
１１１    送信部
２０      ユーザ装置
２０１    受信部
２０３    ＰＳＳ系列推定部
２０５    ＳＳＳ系列推定部
２０７    ＴＳＳ系列推定部
２０９    ＰＢＣＨ受信処理部
２１１    ＳＳブロックインデックス推定部
１００１  プロセッサ
１００２  メモリ
１００３  ストレージ
１００４  通信装置
１００５  入力装置
１００６  出力装置
１００７  バス
【図１】
0006734406.tif 000002
【図２】
0006734406.tif 000003
【図３Ａ】
0006734406.tif 000004
【図３Ｂ】
0006734406.tif 000005
【図４】
0006734406.tif 000006
【図５Ａ】
0006734406.tif 000007
【図５Ｂ】
0006734406.tif 000008
【図５Ｃ】
0006734406.tif 000009
【図６Ａ】
0006734406.tif 000010
【図６Ｂ】
0006734406.tif 000011
【図６Ｃ】
0006734406.tif 000012
【図６Ｄ】
0006734406.tif 000013
【図６Ｅ】
0006734406.tif 000014
【図６Ｆ】
0006734406.tif 000015
【図７】
0006734406.tif 000016
【図８】
0006734406.tif 000017
【図９】
0006734406.tif 000018